(57)【要約】      （修正有）【課題】  警戒個所に簡便に設置し得て確実に侵入の検知ができる警報装置を提供すること。【解決手段】  警報装置本体１００内に、先端に外力に応じて切り離されるコネクタ２２０が設けられた、少なくとも２線を有する検知ケーブル２１１を有し、この検知ケーブルが引き出し可能に巻き付けられたリール１２１と、前記コネクタが切り離されて前記検知ケーブルにおける２線間の導通が遮断されたことを検知して異常信号を出力する導通検知回路１１０と、前記検知ケーブルの移動による前記リールの回転もしくは他の運動力が与えられると異常信号を出力する振動センサ１２３と、筐体に設けられた、電池を収納するためのボックスが開くと異常信号を出力する電池ボックス回路１４０と、前記導通検知回路、前記振動センサ、前記電池ボックス回路および前記カード検出回路の何れかから異常信号が与えられると警報を発する警報手段とを備える。【選択図】  図２
2006079323.tif 000002
【特許請求の範囲】
【請求項１】
筐体に収容された本体、この本体に設けられ、該本体から引き出されて先端が対象物に係止される検知ケーブルが巻き付けられたリール、ブザーおよび電池を構成要素とする警報装置であって、
前記本体には、
先端に外力に応じて切り離されるコネクタが設けられた、少なくとも２線を有する検知ケーブルを有し、この検知ケーブルが引き出し可能に巻き付けられたリールと、
前記コネクタが切り離されて前記検知ケーブルにおける２線間の導通が遮断されたことを検知して異常信号を出力する導通検知回路と、
前記検知ケーブルの移動による前記リールの回転もしくは他の運動力が与えられると異常信号を出力する振動センサと、
前記筐体に設けられた、前記電池を収納するためのボックスが開くと異常信号を出力する電池ボックス回路と、
前記導通検知回路、前記振動センサ、および前記電池ボックス回路の何れかから異常信号が与えられると警報を発する警報手段と、
をそなえた警報装置。
【請求項２】
請求項１記載の警報装置において、
特定のＲＦＩＤカードが近接すると解除信号を出力するカード検出回路をそなえ、
前記解除信号が与えられると警報出力を生じないようにした警報装置。
【請求項３】
請求項１記載の警報装置において、
前記リールは、周囲に前記振動センサに接触するように突部が設けられており、前記リールの回転により前記振動センサに振動を与えるようにした警報装置。
【請求項４】
請求項１記載の警報装置において、
前記コネクタは、
前記２線の端子としての第１要素と、
対象物に取り付けるための固定部材、および前記第１要素の端子間を接続する接続部材を有する第２要素と
をそなえた警報装置。
【請求項５】
請求項１記載の警報装置において、
前記検知ケーブルは、少なくとも３線を有し、
前記導通検出回路は、前記検知ケーブルにおける常時開放状態にある何れか２線間が短絡したとき異常信号を生じるようにした警報装置。
【発明の詳細な説明】
【技術分野】
【０００１】
本発明は、人等の侵入を検知して警報を発する警報装置に関わり、とくに簡便に設置できて人等がケーブルに接触したことを検出し警報を発する警報装置に関する。
【背景技術】
【０００２】
事務所、住宅等への侵入防止のために、赤外線、超音波などを用いた非接触
方式のものをはじめとして種々の警報装置が提供されている。そのうちで人等の侵入を検知するには、人等が接触したことを検知する方式が最も基本的である。
【発明の開示】
【発明が解決しようとする課題】
【０００３】
しかしながら、警戒線を用いて人等の接触を検知するにしても、予め所定個所に警戒線を巡らせるとともに機器に接続しておく工事が必要であり、設置自体が簡単ではない。
【０００４】
本発明は、上述の点を考慮してなされたもので、警戒個所に簡便に設置し得て確実に侵入の検知ができる警報装置を提供することを目的とする。
【課題を解決するための手段】
【０００５】
上記目的達成のため、本発明では、
筐体に収容された本体、この本体に設けられ、該本体から引き出されて先端が対象物に係止される検知ケーブルが巻き付けられたリール、ブザーおよび電池を構成要素とする警報装置であって、
前記本体内には、
先端に外力に応じて切り離されるコネクタが設けられた、少なくとも２線を有する検知ケーブルを有し、この検知ケーブルが引き出し可能に巻き付けられたリールと、
前記コネクタが切り離されて前記検知ケーブルにおける２線間の導通が遮断されたことを検知して異常信号を出力する導通検知回路と、
前記検知ケーブルの移動による前記リールの回転もしくは他の運動力が与えられると異常信号を出力する振動センサと、
前記筐体に設けられた、前記電池を収納するためのボックスが開くと異常信号を出力する電池ボックス回路と、
前記導通検知回路、前記振動センサ、および前記電池ボックス回路の何れかから異常信号が与えられると警報を発する警報手段と、
をそなえた警報装置、
を提供するものである。
【発明の効果】
【０００６】
本発明は上述のように、リールに巻き付けられたケーブルを引き出して警戒線とし、ケーブルに生じた電気的および機械的な異常に基き、警報を発するようにしたため、設置が簡便に行なえる警報装置を提供することができる。しかもリール式であるため、長さは自由に設定でき、設置上の自由度が高く、必要なときに直ちに設置することができる。
【発明を実施するための最良の形態】
【０００７】
以下、添付図面を参照して本発明の実施例を説明する。
【０００８】
［実施例１］
図１は、本発明の一実施例を示す概略構成図である。この概略構成につき、説明する。
【０００９】
図１において、１００は警報装置本体であり、この本体１００には、リール１２１、リール１２１の周囲に設けられた突部１２２、リール１２１の回転により突部１２２が当接する振動センサ１２３、振動センサ１２３を支持するバネ１２４、ＲＦＩＤ回路１３０、ブザＢＺおよび電池Ｂ、その他回路要素(図示せず)等が収容されている。
【００１０】
そして、リール１２１に巻き付けられたケーブル２１１は、先端にプラグ２１２およびレセプタクル２１３からなるコネクタ２２０が設けられている。このコネクタ２２０は３端子型であり、うち２端子間はレセプタクル２１３によって短絡され、他の２端子間はレセプタクル２１３を装着しても開放状態である。レセプタクル２１３には、対象物に固定するための要素、例えばフックとか固定具を取り付けるための穴が設けられている必要がある。
【００１１】
ケーブル２１１は、できるだけ侵入者の目に付かないことが必要であり、細くかつ背景に紛れるような外観を持つものが望ましい。その意味で、ケーブルの被覆が透明、半透明もしくは特定の着色がされていることが望ましい。
【００１２】
一方、警報装置本体１００内に収容されているリール１２１は、ケーブル２１１に引っ張り作用力を与えており、ケーブル２１１が引き出されると、それに応じて回転し、周囲に設けられた突部が振動センサ１２３に衝突する。振動センサ１２３は、バネ１２４により支持されており、リール２１１の突部が衝突する度に振動するとともに異常信号を発する。
【００１３】
また、警報装置本体１００には、ＲＦＩＤ検出回路１３０が設けられており、ＲＦＩＤカード２３０が近接すると、警戒状態を解除するための信号を発して警報装置を不作動にする。
【００１４】
図２は、図1に示した警報装置の内部構成を示したものである。この場合、警報を発するために検知する内容は、
(1)導通検知回路１１０によるケーブル２１１の導通、または短絡、
(2)振動センサ１２３によるケーブル２１１への人等の接触、および警報装置に加えられた衝撃、
(3)電池ボックス回路１４０による、筐体における電池収納部つまり電池ボックスの開蓋、
であり、一方、警戒状態を解除するものとして
(4)ＲＦＩＤカードの検出、
がある。
【００１５】
上記(1)ないし(3)の各信号は、警報回路１５０に与えられてブザーＢＺを作動させる作用をし、(4)はそれらを解除する作用をする。これらの各動作内容を説明する。
【００１６】
(1)導通検知回路１１０は、ケーブル２１１の導通を常時監視しており、ケーブルを構成する2線間が接続状態にあれば正常で、接続がなくなると異常と判定する。接続がなくなるのは、例えばケーブル２１１に人が触れてプラグ２１２とレセプタクル２１３とが切り離されたとき、あるいはケーブル２１１が切断されたときである。
【００１７】
また、破線で示すような第3の線がある場合は、この第3の線と第1、第2の何れかの線の間は常時は接続されておらず、短絡等の接続状態になると異常である。侵入者が、例えば刃物でケーブル２１１の切断をすると、第3の線と他の線との間が接続された状態になり、これは導通検知回路１１０によって異常として検出される。
【００１８】
(2)振動センサ１２３は、振動があることにより異常信号を形成する。振動センサ１２３は、リール１２１からケーブル２１１が引き出されるかコネクタ２２０が切り離されたとき、警報装置本体１００が揺れたとき、に振動を検知して異常信号を発生する。
【００１９】
(3)電池ボックス回路１４０は、筐体に設けられた電池ボックス(図示せず)の蓋が開けられると、スイッチＳＷが作動して異常信号を発する。
【００２０】
これら(1)ないし(3)の場合に発する異常信号に応じて、警報回路１５０がブザーＢＺを作動させて警報を発する。
【００２１】
他方、(4)の場合、つまり警報装置の管理者が保有するＲＦＩＤカード２３０を警報装置本体１００に近接させると、ＲＦＩＤ回路１３０がＲＦＩＤカード２３０を検知して警報回路１５０に解除信号を与える。これにより、警報解除状態となる。したがって、仮に管理者がケーブル２１１に触れて振動センサ１２３が作動し異常信号を警報回路１５０に送出しても、警報回路１５０は作動しない。
【００２２】
＜警報装置のセット＞
本発明の装置は、リールからケーブルを引き出す方式のため、リールに巻かれたケーブル長の範囲で警戒線の長さを調整できる。したがって、侵入が予想される任意の場所に設置することができる。そして、ケーブルを引き出せば、直ちに警戒状態にすることができる。また、装置を停止するにはＲＦＩＤカードが必要であり、侵入者が警報状態を停止することができない。
【００２３】
＜種々の侵入態様への適応＞
本発明装置は、検知ケーブルに接触したことを検知するものであるから、ベランダ乗越え、通路への侵入、窓からの侵入を何れも検知することができる。そして、警報装置が設置された個所の周囲を破壊しての人の侵入も振動として検知され、種々の侵入態様に対する検知能力が高い。さらに、侵入者が警報装置本体１００からケーブル２１１を取外すと、振動センサ１２３が動作して警報回路１５０から警報が発せられる。また、ケーブルは、切断されても短絡されても警報回路を作動させるようにできる。
【００２４】
＜変形例＞
上記実施例では、屋内に設置する場合を説明したが、防水構造として屋外に設置するように構成することもできる。
【図面の簡単な説明】
【００２５】
【図１】本発明の一実施例の概略構成を示す説明図。
【図２】図1に示した実施例の内部構成を示す説明図。
【符号の説明】
【００２６】
１００  筐体、１１０  導通検知回路、１２１  リール、１２２  突部、
１２３  振動センサ、１２４  バネ、１３０  ＲＦＩＤ回路、
１４０  電池ボックス回路、１５０  警報回路、２１１  ケーブル、
２１２  プラグ、２１３  レセプタクル、２３０  ＲＦＩＤカード。
Ｂ  電池、ＢＺ  ブザー、ＳＷ  スイッチ。
【図１】
2006079323.tif 000003
【図２】
2006079323.tif 000004